(57)【特許請求の範囲】
【請求項１】
データ圧縮手段と、
透かし情報生成手段と、
前記データ圧縮手段によって圧縮された圧縮データを送信する、圧縮データ送信手段と、
前記透かし情報生成手段によって生成された透かし情報を送信する透かし情報送信手段と、
を備える第１端末と、
前記圧縮データ送信手段から送信された圧縮データを受信する、圧縮データ受信手段と、
前記透かし情報送信手段から送信された透かし情報を受信する、透かし情報像受信手段と、
前記圧縮データ受信手段によって受信された圧縮データを伸張する、圧縮データ伸張手段と、
前記圧縮データ伸張手段によって得られた伸張データに、前記透かし情報像受信手段によって受信された透かし情報を重畳する、透かし情報重畳手段と、
を備える、第１端末からのデータを受信可能な第２端末を備える、
データ伝送経路情報埋め込みシステム。
【請求項２】
前記第２端末が
前記第１端末から受信されたデータを表示、及び／又は、格納する場合に、前記透かし情報重畳手段を動作させて、透かし情報が重畳されたデータを表示、又は、格納することを可能とする、透かし重畳制御手段、
を更に備える請求項１に記載のデータ伝送経路情報埋め込みシステム。
【請求項３】
前記第１端末が、前記透かし情報生成手段によって生成された透かし情報を、透かし情報が実質的に破損されない程度に圧縮して、前記透かし情報送信手段に与える、透かし情報弱圧縮手段を更に備え、
前記第２端末が、前記透かし情報受信手段によって受信された弱圧縮透かし情報を伸張して、出力される前記透かし情報を、前記透かし情報重畳手段に与える、弱圧縮透かし情報伸張手段を更に備える、
以上のいずれかの請求項に記載のデータ伝送経路情報埋め込みシステム。
【請求項４】
前記透かし情報生成手段が、
第１端末の固有の情報及び、予め第１端末で把握している、第２端末に関する情報を埋め込む、第２端末用情報埋め込み手段を備える、
以上のいずれかの請求項に記載のデータ伝送経路情報埋め込みシステム。
【請求項５】
前記第２端末が、前記第１端末から受信された透かし情報に、前記第１端末で把握していない前記第２端末特有の情報を重畳させることが可能な、固有透かし情報重畳手段、を更に備える、
以上のいずれかの請求項に記載のデータ伝送経路情報埋め込みシステム。
【請求項６】
データ圧縮手段と、
透かし情報生成手段と、
前記データ圧縮手段によって圧縮された圧縮データと、前記透かし情報とを一連のファイルにするためのファイル化手段と、
前記一連のファイルをスクランブル化するスクランブル化手段と、
前記スクランブル化手段によってスクランブル化された一連のファイルを送信する送信手段と、
を備える第１端末と、
前記送信手段から送信された一連のファイルを受信する受信手段と、
前記受信手段によって受信された一連のファイルにかけられたスクランブルを解除するスクランブル解除手段と、
前記スクランブル解除手段の出力として得られた前記一連のファイルから、圧縮データと透かし情報を分離する、圧縮データ／透かし情報分離手段と、
前記圧縮データ／透かし情報分離手段によって分離された圧縮データを伸張する、圧縮データ伸張手段と、
圧縮データ伸張手段によって伸張されたデータと、前記圧縮データ／透かし情報分離手段によって分離された透かし情報を用いて、伸張後のデータに透かし情報を重畳させる、透かし情報重畳手段と、
を備える、第１端末からのデータを受信可能な第２端末、
を含むデータ伝送経路情報埋め込みシステム。
【請求項７】
前記第２端末において、圧縮データ／透かし情報分離手段が作動する際に、圧縮データ／透かし情報分離手段、及び、透かし情報重畳手段も作動させて、圧縮データに透かし情報を重畳させる透かし重畳制御手段を更に備える
請求項６に記載のデータ伝送経路情報埋め込みシステム。
【請求項８】
他の端末から送られてきた圧縮データを受信する、圧縮データ受信手段と、
他の端末から送られていた透かし情報を受信する、透かし情報受信手段と、
前記圧縮データ受信手段によって受信された圧縮データを伸張する、圧縮データ伸張手段と、
前記圧縮データ伸張手段による伸張によって得られた伸張データに、前記透かし情報像受信手段によって受信された透かし情報を重畳する、透かし情報重畳手段と、
前記透かし情報が重畳された伸張データから前記透かし情報を分離した伸張データを再製する、伸張データ再製手段と、
送信用透かし情報生成手段と、
前記再製された伸張データを圧縮する、データ圧縮手段と、
前記データ圧縮手段によって圧縮されたデータを、送信先端末に送信する、再圧縮データ送信手段と、
前記送信用透かし情報生成手段によって生成された送信用透かし情報を、送信先端末に送信する送信用透かし情報送信手段と、
を備える端末。
【請求項９】
前記端末において、前記他の端末から受信された圧縮データを表示、及び／又は、格納する場合に、前記透かし情報重畳手段を動作させて、透かし情報が重畳された伸張データを表示、又は、格納することを可能とする、
透かし重畳制御手段を更に備える、請求項８に記載の端末。
【請求項１０】
前記送信用透かし情報生成手段が、
前記透かし情報重畳手段によって透かし情報が既に多重されているデータに、更に重畳的に送信用透かし情報を重畳する透かし情報多重重畳手段を備える、請求項８又は９に記載の端末。
【請求項１１】
前記送信用透かし情報生成手段が、
前記端末の固有の情報及び、予め前記端末で把握している、送信先端末に関する情報を埋め込む、第１の情報埋め込み手段を備える、請求項８ないし１０のいずれか１項に記載の端末。
【請求項１２】
前記端末が、前記他の端末から受信された透かし情報に、前記他の端末で把握していない前記端末特有の情報を重畳させることが可能な、固有透かし情報重畳手段、を更に備える、請求項８ないし１１のいずれか１項に記載の端末。
【請求項１３】
他の端末から送られてきた、スクランブル化された一連のファイル化された圧縮データ及び透かし情報を含むデータを受信する、データ受信手段と、
受信された前記スクランブル化された一連のファイル化された圧縮データ及び透かし情報のスクランブルを解除する、スクランブル解除手段と、
前記スクランブル解除手段の出力として得られた前記一連のファイルから、圧縮データと透かし情報を分離する、圧縮データ／透かし情報分離手段と、
前記圧縮データ／透かし情報分離手段によって分離された圧縮データを伸張する、圧縮データ伸張手段と、
前記圧縮データ伸張手段によって伸張されたデータと、前記圧縮データ／透かし情報分離手段によって分離された透かし情報を用いて、伸張されたデータに透かし情報を重畳させる、透かし情報重畳手段と、
前記透かし情報が重畳された伸張データを送信するために、前記透かし情報が重畳された伸張データから前記透かし情報を分離した伸張データを再製する、伸張データ再製手段と、
送信用透かし情報生成手段と、
前記伸張データ再製手段によって再製された伸張データを圧縮する、データ圧縮手段と、
前記データ圧縮手段によって圧縮された圧縮データと、送信用透かし情報生成手段によって生成された透かし情報とを一連のファイルにするためのファイル生成手段と、
前記一連のファイルをスクランブル化するためのスクランブル化手段と、
前記スクランブル化された一連のファイルを送信する送信手段と、
を備える端末。
【請求項１４】
他の端末から送られてきた圧縮データを受信する、圧縮データ受信手段と、
他の端末から送られてきた他端末ＩＤ情報を受信する、他端末ＩＤ情報受信手段と、
前記圧縮データ受信手段によって受信された圧縮データを伸張する、圧縮データ伸張手段と、
前記他端末ＩＤ情報受信手段によって受信された前記他端末ＩＤ情報、及び、自己端末ＩＤ情報を用いて透かし情報を生成する、透かし情報生成手段と、
前記圧縮データ伸張手段による伸張によって得られた伸張データに、前記透かし情報像生成手段によって生成された透かし情報を重畳する、透かし情報重畳手段と、
を備える、他の端末からのデータを受信可能な端末であって、
当該端末において、前記他の端末から受信された圧縮データを表示、及び／又は、格納する場合に、前記透かし情報重畳手段を動作させて、透かし情報が重畳された伸張データを表示、又は、格納することを可能とする、透かし重畳制御手段と、
前記透かし情報が重畳された伸張データを送信するために、前記透かし情報が重畳された伸張データから前記透かし情報を分離した伸張データを再製する、伸張データ再製手段と、
前記伸張データ再製手段によって再製された伸張データを圧縮する、データ圧縮手段と、
前記データ圧縮手段によって圧縮されたデータを送信する、圧縮データ送信手段と、
前記他端末ＩＤ情報及び前記自己端末ＩＤ情報を送信するＩＤ情報送信手段と、
を更に備える端末。
【請求項１５】
前記他端末ＩＤ情報に、前記データが生成された端末から自己端末に至るまでの伝送経路の全ての端末のＩＤ情報、が含まれる、請求項１４に記載の端末。
【請求項１６】
コンピュータを、請求項８ないし１５のいずれか１項に記載の端末として機能させるためのコンピュータプログラム。
【請求項１７】
請求項１６に記載のプログラムを格納した記憶媒体。
【発明の詳細な説明】
【技術分野】
【０００１】
本発明は、例えば、ネットワークを介して複数ホップで多数の端末間を連鎖的に伝送される圧縮データに、当該伝送経路情報上に介在した端末に係る情報を累積的に埋め込む技術に関する。
【背景技術】
【０００２】
従来、画像情報等のコンテンツを表す電子データに、当該コンテンツの流通ルートなどを管理するための情報を、電子透かし技術を用いて埋め込むことで、当該コンテンツを管理する技術として、特許文献１に開示されるようなものが存在した。
この技術によれば、コンテンツの購入者を一義的に表すＩＤ情報を、電子透かしとしてコンテンツに埋め込むことで、後に、当該コンテンツが不法にコピーされた場合等に、そのような不法コピー発信の源となった者の身元を把握することが可能となる。
【０００３】
【特許文献１】特開２００１−２５６１９２号公報
【発明の開示】
【発明が解決しようとする課題】
【０００４】
しかし、画像情報等のコンテンツは、多くの場合大きなデータ容量を持ち、その伝送に際しては通常データ圧縮が施される。
仮に、当該コンテンツに電子透かしが重畳されていても、圧縮／伸張を繰り返すと、そのような圧縮／伸張に脆弱な電子透かし情報が「潰れ」てしまい、「不法コピー発信の源となった者の身元を把握」することが困難となってしまう。
【課題を解決するための手段】
【０００５】
上記課題を解決するために、本願においては、以下の各発明を提供する。
【０００６】
（発明１）＜基本構成＞
データ圧縮手段と、
透かし情報生成手段と、
前記データ圧縮手段によって圧縮された圧縮データを送信する、圧縮データ送信手段と、
前記透かし情報生成手段によって生成された透かし情報を送信する透かし情報送信手段と、
を備える第１端末と、
前記圧縮データ送信手段から送信された圧縮データを受信する、圧縮データ受信手段と、
前記透かし情報送信手段から送信された透かし情報を受信する、透かし情報像受信手段と、
前記圧縮データ受信手段によって受信された圧縮データを伸張する、圧縮データ伸張手段と、
前記圧縮データ伸張手段によって得られた伸張データに、前記透かし情報像受信手段によって受信された透かし情報を重畳する、透かし情報重畳手段と、
を備える、第１端末からのデータを受信可能な第２端末を備える、
データ伝送経路情報埋め込みシステム。
【０００７】
本発明によれば、第１端末から第２端末に伝送されたデータに対して、第２端末において、第１端末で生成された透かし情報を重畳させることが可能となる。このような構成によれば、圧縮の影響を受けやすい透かし情報を保護しつつ、データを受信した端末において確実に透かし情報を重畳することが可能となる。
本発明においては「圧縮データ送信手段」と「透かし情報送信手段」は別手段として記載されているが、ハードウェア上は同一の「送信手段」を時分割、周波数分割、コード分割等によって、圧縮データと透かし情報用とで共用するような場合も含まれる。圧縮データ受信手段と透かし情報像受信手段についても同様である。「圧縮データ送信手段」と「透かし情報送信手段」、「圧縮データ受信手段」と「透かし情報像受信手段」を持つ、以下の他の発明においても、同様である。
本発明の本質的部分又は課題解決に不可欠な部分は、圧縮データと透かし情報を重畳せずに別々に送信し、受信側で両者を重畳する構成である。以下の各発明においても同様である。これによって、圧縮に弱い透かし情報を保護しつつ、受信側での確実な透かし情報の重畳を確保できる。
【０００８】
（発明２）＜基本構成＋表示／格納時に重畳＞
前記第２端末が
前記第１端末から受信されたデータを表示、及び／又は、格納する場合に、前記透かし情報重畳手段を動作させて、透かし情報が重畳されたデータを表示、又は、格納することを可能とする、透かし重畳制御手段、
を更に備える発明１に記載のデータ伝送経路情報埋め込みシステム。
【０００９】
本発明によれば、第１端末から第２端末に伝送されたデータに対して、第２端末において圧縮データを表示及び／又は格納する際に、第１端末で生成された透かし情報を重畳させることが可能となる。このような構成によれば、圧縮の影響を受けやすい透かし情報を保護しつつ、データを受信した端末において確実に透かし情報を重畳することが可能となる。
【００１０】
（発明３）＜透かし情報を弱圧縮＞
前記第１端末が、前記透かし情報生成手段によって生成された透かし情報を、透かし情報が実質的に破損されない程度に圧縮して、前記透かし情報送信手段に与える、透かし情報弱圧縮手段を更に備え、
前記第２端末が、前記透かし情報受信手段によって受信された弱圧縮透かし情報を伸張して、出力される前記透かし情報を、前記透かし情報重畳手段に与える、弱圧縮透かし情報伸張手段を更に備える、
以上のいずれかの発明に記載のデータ伝送経路情報埋め込みシステム。
【００１１】
本発明において「弱圧縮」とは、使用されるシステムの要求（何段程度のデータ伝送が想定されているか、透かし情報の強度、等）によって、使用上問題が無いと考えられる程度の、弱い圧縮のことを意味する。
このように、透かし情報を「弱圧縮」することによって、透かし情報の劣化を一定レベル以下に抑制しつつ、データ伝送容量を削減可能となる。
【００１２】
（発明４）
前記透かし情報生成手段が、
第１端末の固有の情報及び、予め第１端末で把握している、第２端末に関する情報を埋め込む、第２端末用情報埋め込み手段を備える、
以上のいずれかの発明に記載のデータ伝送経路情報埋め込みシステム。
【００１３】
本発明において、「予め第１端末で把握している、第２端末に関する情報」には、例えば、第１端末側で持っている、第２端末側の会社名、氏名、等が含まれる。
第１端末で、第２端末の接続リストを選択すると、自動的にそれとリンクして、第２端末側の会社名、対話者名（ＩＤ）、年月日、が入力される。第１端末の固有の情報には、自社名が含まれる。また、テキスト情報に限らず、自社と第２端末側の会社ロゴなど、デザイン（図形等）、それらの組合せ（ストライプ状に、Ａ社とＢ社のロゴが入るなど）のケースも含まれる。
【００１４】
（発明５）
前記第２端末が、前記第１端末から受信された透かし情報に、前記第１端末で把握していない前記第２端末特有の情報を重畳させることが可能な、固有透かし情報重畳手段、を更に備える、
以上のいずれかの発明に記載のデータ伝送経路情報埋め込みシステム。
【００１５】
本発明において、前記第１端末で把握していない前記第２端末特有の情報には、例えば、第２端末の会社における、作業用シリアル番号が含まれる。
【００１６】
（発明６）＜第３実施例の上位概念：一連のファイルにして全体にスクランブル＞
データ圧縮手段と、
透かし情報生成手段と、
前記データ圧縮手段によって圧縮された圧縮データと、前記透かし情報とを一連のファイルにするためのファイル化手段と、
前記一連のファイルをスクランブル化するスクランブル化手段と、
前記スクランブル化手段によってスクランブル化された一連のファイルを送信する送信手段と、
を備える第１端末と、
前記送信手段から送信された一連のファイルを受信する受信手段と、
前記受信手段によって受信された一連のファイルにかけられたスクランブルを解除するスクランブル解除手段と、
前記スクランブル解除手段の出力として得られた前記一連のファイルから、圧縮データと透かし情報を分離する、圧縮データ／透かし情報分離手段と、
前記圧縮データ／透かし情報分離手段によって分離された圧縮データを伸張する、圧縮データ伸張手段と、
圧縮データ伸張手段によって伸張されたデータと、前記圧縮データ／透かし情報分離手段によって分離された透かし情報を用いて、伸張後のデータに透かし情報を重畳させる、透かし情報重畳手段と、
を備える、第１端末からのデータを受信可能な第２端末、
を含むデータ伝送経路情報埋め込みシステム。
【００１７】
本発明によれば、圧縮データと透かし情報を一連のファイル化することによって信号伝送を容易にし、更に、当該一連のファイルにスクランブルをかけることによって、セキュリティを向上させることが可能となる。
なお、本発明において、一連のファイルのスクランブル化、スクランブル解除、の機能を削除して、単に、一連のファイルの送受信を行い、そこからデータと透かし情報を分離することも可能である。
【００１８】
（発明７）
前記第２端末において、圧縮データ／透かし情報分離手段が作動する際に、圧縮データ／透かし情報分離手段、及び、透かし情報重畳手段も作動させて、圧縮データに透かし情報を重畳させる透かし重畳制御手段を更に備える
発明６に記載のデータ伝送経路情報埋め込みシステム。
本発明によれば、第１端末から第２端末に伝送されたデータに対して、第２端末において圧縮データを表示及び／又は格納する際に、第１端末で生成された透かし情報を重畳させることが可能となる。
【００１９】
（発明８）＜非圧縮＞
データ送信手段と、
透かし情報生成手段と、
前記透かし情報生成手段によって生成された透かし情報を送信する透かし情報送信手段と、
を備える第１端末と、
前記データ送信手段から送信されたデータを受信する、データ受信手段と、
前記透かし情報送信手段から送信された透かし情報を受信する、透かし情報像受信手段と、
前記データ受信手段によって得られたデータに、前記透かし情報像受信手段によって受信された透かし情報を重畳する、透かし情報重畳手段と、
を備える、第１端末からのデータを受信可能な第２端末を備える、
データ伝送経路情報埋め込みシステム。
【００２０】
このような構成にすることによって、連鎖的（第１端末→第２端末→第３端末・・・）に画像情報等を送っていく場合に、透かし情報を重畳させることが容易となる。また、受信側（第１端末から見た第２端末など）においてのみ把握している自己のＩＤ情報を受信側で重畳することが可能となる。
【００２１】
（発明９）＜分離せず一緒に圧縮＋送信＞
他の端末から送られてきた圧縮データを受信する、圧縮データ受信手段と、
他の端末から送られていた透かし情報を受信する、透かし情報受信手段と、
前記圧縮データ受信手段によって受信された圧縮データを伸張する、圧縮データ伸張手段と、
前記圧縮データ伸張手段による伸張によって得られた伸張データに、前記透かし情報像受信手段によって受信された透かし情報を重畳する、透かし情報重畳手段と、
送信用透かし情報生成手段と、
前記透かし情報が重畳された伸張データを圧縮する、データ圧縮手段と、
前記データ圧縮手段によって圧縮されたデータを、送信先端末に送信する、再圧縮データ送信手段と、
前記送信用透かし情報生成手段によって生成された送信用透かし情報を、送信先端末に送信する送信用透かし情報送信手段と、
を備える端末。
【００２２】
このように、透かし情報をデータと共に圧縮することによって透かし情報が潰れたり、画像等の質の劣化が大きい、等のデメリットはあるが、逆に、コピーを行うとそのような劣化が発生するため、コピー防止となる。
【００２３】
（発明１０）＜装置単体：「表示／格納する場合」の限定を外した＞
前記透かし情報が重畳された伸張データから前記透かし情報を分離した伸張データを再製する、伸張データ再製手段を更に備え、
前記データ圧縮手段が、前記再製された伸張データを圧縮し、
前記再圧縮データ送信手段が、前記データ圧縮手段によって圧縮された伸張データを送信する、発明９に記載の端末。
【００２４】
ネットワークに接続された複数の本発明の端末の間で、データを連鎖的に伝送した場合には、各端末においてデータ上に、それまでに伝送された経路上の全ての端末のＩＤ情報を含む透かし情報が重畳される。この透かし情報を分析することによって、或る端末に到達したデータの伝送経路を把握することが可能となる。
なお、本発明において、場合によっては、異なる複数のデータ送信端末から、異なる複数のデータ受信端末に向かって、連続的に、異なったデータ及び透かし情報が送信される。このような場合に、別々に送信されるデータ及び透かし情報を、送信画側で関連付け（例えばデータ自体の識別情報であるＩＤを透かし情報にも組み込む等により）、受信側で当該関連付けを元に、正しい透かし情報が、正しいデータに重畳可能なように構成しても良い。
【００２５】
（発明１１）
前記端末において、前記他の端末から受信された圧縮データを表示、及び／又は、格納する場合に、前記透かし情報重畳手段を動作させて、透かし情報が重畳された伸張データを表示、又は、格納することを可能とする、透かし重畳制御手段を更に備える、発明９又は１０に記載の端末。
【００２６】
ネットワークに接続された複数の本発明の端末の間で、データを連鎖的に伝送した場合には、各端末で表示されるデータ、又は、格納されるデータ上に、それまでに伝送された経路上の全ての端末のＩＤ情報を含む透かし情報が重畳される。この透かし情報を分析することによって、或る端末に到達したデータの伝送経路を把握することが可能となる。
【００２７】
（発明１２）
前記送信用透かし情報生成手段が、
前記透かし情報重畳手段によって透かし情報が既に多重されているデータに、更に重畳的に送信用透かし情報を重畳する透かし情報多重重畳手段を備える、発明９ないし１１に記載の端末。
【００２８】
（発明１３）
前記送信用透かし情報生成手段が、
前記端末の固有の情報及び、予め前記端末で把握している、送信先端末に関する情報を埋め込む、第１の情報埋め込み手段を備える、発明９ないし１２に記載の端末。
【００２９】
本発明において、「予め第１端末で把握している、第２端末に関する情報」には、例えば、第１端末側で持っている、第２端末側の会社名、氏名、等が含まれる。
第１端末で、第２端末の接続リストを選択すると、自動的にそれとリンクして、第２端末側の会社名、対話者名（ＩＤ）、年月日、が入力される。第１端末の固有の情報には、自社名が含まれる。また、テキスト情報に限らず、自社と第２端末側の会社ロゴなど、デザイン（図形等）、それらの組合せ（ストライプ状に、Ａ社とＢ社のロゴが入るなど）のケースも含まれる。
【００３０】
（発明１４）
前記端末が、前記他の端末から受信された透かし情報に、前記他の端末で把握していない前記端末特有の情報を重畳させることが可能な、固有透かし情報重畳手段、を更に備える、発明９ないし１３に記載の端末。
【００３１】
本発明において、前記第１端末で把握していない前記第２端末特有の情報には、例えば、第２端末の会社における、作業用シリアル番号が含まれる。
【００３２】
（発明１５）＜スクランブル付装置＞
他の端末から送られてきた、スクランブル化された一連のファイル化された圧縮データ及び透かし情報を含むデータを受信する、データ受信手段と、
受信された前記スクランブル化された一連のファイル化された圧縮データ及び透かし情報のスクランブルを解除する、スクランブル解除手段と、
前記スクランブル解除手段の出力として得られた前記一連のファイルから、圧縮データと透かし情報を分離する、圧縮データ／透かし情報分離手段と、
前記圧縮データ／透かし情報分離手段によって分離された圧縮データを伸張する、圧縮データ伸張手段と、
前記圧縮データ伸張手段によって伸張されたデータと、前記圧縮データ／透かし情報分離手段によって分離された透かし情報を用いて、伸張されたデータに透かし情報を重畳させる、透かし情報重畳手段と、
前記透かし情報が重畳された伸張データを送信するために、前記透かし情報が重畳された伸張データから前記透かし情報を分離した伸張データを再製する、伸張データ再製手段と、
送信用透かし情報生成手段と、
前記伸張データ再製手段によって再製された伸張データを圧縮する、データ圧縮手段と、
前記データ圧縮手段によって圧縮された圧縮データと、送信用透かし情報生成手段によって生成された透かし情報とを一連のファイルにするためのファイル生成手段と、
前記一連のファイルをスクランブル化するためのスクランブル化手段と、
前記スクランブル化された一連のファイルを送信する送信手段と、
を備える端末。
【００３３】
ネットワークに接続された複数の本発明の端末の間で、データを連鎖的に伝送した場合には、各端末においてデータ上に、それまでに伝送された経路上の全ての端末のＩＤ情報を含む透かし情報が重畳される。この透かし情報を分析することによって、或る端末に到達したデータの伝送経路を把握することが可能となる。また、本発明においては、圧縮データと透かし情報を一連のファイル化することによって信号伝送を容易にし、更に、当該一連のファイルにスクランブルをかけることによって、セキュリティを向上させることが可能となる。
【００３４】
（発明１６）＜第２実施例の上位概念：ＩＰアドレス自動重畳装置＞
他の端末から送られてきた圧縮データを受信する、圧縮データ受信手段と、
他の端末から送られてきた他端末ＩＤ情報を受信する、他端末ＩＤ情報受信手段と、
前記圧縮データ受信手段によって受信された圧縮データを伸張する、圧縮データ伸張手段と、
前記他端末ＩＤ情報受信手段によって受信された前記他端末ＩＤ情報、及び、自己端末ＩＤ情報を用いて透かし情報を生成する、透かし情報生成手段と、
前記圧縮データ伸張手段による伸張によって得られた伸張データに、前記透かし情報像生成手段によって生成された透かし情報を重畳する、透かし情報重畳手段と、
を備える、他の端末からのデータを受信可能な端末であって、
当該端末において、前記他の端末から受信された圧縮データを表示、及び／又は、格納する場合に、前記透かし情報重畳手段を動作させて、透かし情報が重畳された伸張データを表示、又は、格納することを可能とする、透かし重畳制御手段と、
前記透かし情報が重畳された伸張データを送信するために、前記透かし情報が重畳された伸張データから前記透かし情報を分離した伸張データを再製する、伸張データ再製手段と、
前記伸張データ再製手段によって再製された伸張データを圧縮する、データ圧縮手段と、
前記データ圧縮手段によって圧縮されたデータを送信する、圧縮データ送信手段と、
前記他端末ＩＤ情報及び前記自己端末ＩＤ情報を送信するＩＤ情報送信手段と、
を更に備える端末。
【００３５】
本発明においては、ＩＰアドレス等の端末ＩＤ情報を自動的に伝送し、データ受信端末において透かし情報として画情報に重畳することが可能となる。
【００３６】
（発明１７）
前記他端末ＩＤ情報に、前記データが生成された端末から自己端末に至るまでの伝送経路の全ての端末のＩＤ情報、が含まれる、発明１６に記載の端末。
【００３７】
本発明によれば、前記データが生成された端末から自己端末に至るまでの伝送経路の全ての端末のＩＤ情報が透かし情報として、データに重畳されるので、この透かし情報を分析することによって、或る端末に到達したデータの伝送経路を把握することが可能となる。
【００３８】
（発明１８）
コンピュータを、発明９ないし１７に記載の端末として機能させるためのコンピュータプログラム。
【００３９】
（発明１９）
発明１８に記載のプログラムを格納した記憶媒体。
本願各発明は、上記のようにシステム、システムの機能を実行するプログラム、そのプログラムを記録した媒体、のカテゴリーで特許請求の範囲を記載しているが、これらの形態に限らず、上記のシステムの機能の実行のためのあらゆる形態のプログラム・プロダクト、当該機能を実行するに際して使用する信号、その他、システムの実施に使用するプログラムを実行する際に使用するコンピュータ端末以外の機器、についても必要があれば特許請求の範囲に記載する。
【００４０】
なお、装置、システム発明、プログラム発明、及び媒体発明において、各構成要素の記載順序が、各発明が実施される場合の経時的順序を規定するものではない。逆に、各発明の目的・効果を達成する範囲内で、各発明を実施する際に各構成要素の実現する機能の作動順序は自由に変更でき、そのような技術も各発明の範囲内に属する。
【００４１】
以下に、本明細書中で用いられる用語の一覧を示す。
表１  本明細書中で用いられる用語の意義
0004748452.tif 000002
【発明の効果】
【００４２】
本発明により、例えば、ネットワークを介して複数ホップで多数の端末間を連鎖的に伝送される圧縮データに、当該伝送経路情報上に介在した端末に係る情報を累積的に埋め込むことが可能となる。
【発明を実施するための最良の形態】
【００４３】
以下、本発明の各種の実施例を図を参照しつつ説明する。但し、以下の説明は、あくまでも本発明の例示であり、以下の記載によって、本発明の技術的範囲が限定されるものではない。
また、本発明の技術は、如何なる既知の、或いは、今後開発される、データ伝送経路情報埋め込みシステムシステムに対しても適することを理解して欲しい。
【実施例１】
【００４４】
図１は、本発明の第１実施例を示す概略構成図である。
本図には、第１端末、第２端末の構成を示し、第３端末の構成は第２端末と同様なので省略してある。
第１端末においては、顔写真やグラフィック画像等の画像情報Ｐ１（1011）が圧縮部1013によって圧縮される。この圧縮部の採用する圧縮方法には、ＪＰＥＧ、ＪＰＥＧ２０００等が含まれがこれに限定されない。
圧縮部1013により圧縮された画像情報は、送信部1014により、第２端末に送信される。
【００４５】
一方、第１端末に存在する透かし生成部1019には、第１端末のＩＤ情報1015（会社名、端末利用者名、日時等）、及び、送信相手先会社名、送信相手先端末のＩＰアドレス等の送信先ＩＤ情報1017、の双方が入力され、当該透かし生成部1019は、入力された自己ＩＤ情報1015及び送信先ＩＤ情報1017の双方が重畳された、透かし情報Ｗ12（1019）を出力する。
【００４６】
当該透かし情報Ｗ12（1019）は、弱圧縮／非圧縮部1021により、透かし情報の劣化が許容される限度に弱い圧縮が掛けられ、或いは、全く圧縮を施さずに、Ｗ12ｃとして透かし情報送信部1022によって、第２端末に送信される。
本実施例においては、このように、画像情報と透かし情報を別系統で送信し、受信側で画像情報に透かし情報を、必要に応じて重畳することによって、圧縮・伸張処理に弱い透かし情報を守りつつ、画像情報には必要な圧縮をかけることが可能となる。
【００４７】
次に、第２端末においては、第１端末から送信された圧縮された画像情報Ｐ１ｃ（1021）が、圧縮画像受信部1020によって受信される。そして、この圧縮された画像情報Ｐ１ｃ（1021）は、第２端末の圧縮画像伸張部1023によって伸張され、伸張画像Ｐ１ｅ（1027）が得られる。
また、第１端末から送信された透かし情報Ｗ12ｃ（1037）は、第２端末の透かし情報受信部1036によって受信される。そして、この透かし情報Ｗ12ｃ（1037）は、弱圧縮がかけられている場合は、第２端末の透かし情報伸張部1039によって伸張され、透かし情報Ｗ１2ｅ（1040）が得られる。（弱圧縮がかけられていない場合は、透かし情報Ｗ12ｃ（1037）は、後述のように、そのまま透かし情報重畳部（1025）、透かし生成部（1045）、透かし情報分離部（1030）に与えられる。）
【００４８】
第２端末において画面表示、或いは、記憶媒体への格納処理が行われる際に、透かし情報重畳部（1025）によって、このようにして得られた伸張画像Ｐ１ｅ（1027）に、Ｗ12ｅ（1040）が重畳され、表示画面或いは記憶媒体中には、Ｐ１ｅ（1027）＋Ｗ12ｅ（1040）の形で、表示／格納される。これによって、第２端末の使用者は、第１端末から送られてきた画像情報には透かし情報が重畳されていることを知り、不用意にネットワーク上に頒布することを躊躇するという効果が得られる。或いは、透かしの重畳度を弱めておけば、第２端末の使用者が、透かし情報の存在に気づかずに、画像情報をネットワーク上に頒布すれば、頒布された画像情報を分析することによって、当該頒布された画像の出所が、第２端末であることが、透かし情報Ｗ12により把握可能である。
【００４９】
なお、「第２端末において画面表示、或いは、記憶媒体への格納処理が行われる際に」という限定を付さずに、第２端末で伸張画像Ｐ1e（1027）、及び、透かし情報Ｗ12e（1040）が得られた段階で、伸張画像Ｐ１ｅ（1027）にＷ12ｅ（1040）を重畳し、その後の画面表示、格納、処理、等に供しても良い。
【００５０】
次に、このようにして、第１端末から受信された画像情報を、第２端末から、第３端末に再送信する際には、以下のようなステップを践む。
透かし情報Ｗ12e（1040）が重畳された画像情報Ｐ1e（1027）から、透かし情報分離部1030によって透かし情報Ｗ12e（1040）が分離される。このようにして得られた画像情報Ｐ1e（1033）は、圧縮部1035によって圧縮され、送信部1036によって第３端末に送信される。
【００５１】
（なお、この圧縮部1035には、第２端末で生成された画像情報Ｐ2（1034）が入力できるようになっていても良い。この場合には、圧縮部1035の出力には当該画像情報Ｐ2が圧縮されたデータが出力される。このような場合には、後述の透かし生成部1045には、自己ＩＤ1041及び送信先ＩＤ1043のみが入力され、過去ＩＤ1042は入力されない。）
【００５２】
また、第２端末の送信用透かし情報生成部1045に、第２端末についてのＩＤ情報たる自己ＩＤ情報1041、第３端末についてのＩＤ情報たる送信先ＩＤ情報1043、及び、既に第１端末から送られてきている、第１端末についてのＩＤ情報が含まれている透かし情報Ｗ12e（1042）が入力され、第１端末、第２端末、及び第３端末についてのＩＤ情報を全て含む透かし情報Ｗ123（1047）が生成される。
【００５３】
なお、Ｗ12e（1042）には、第１、第２端末双方のＩＤ情報が含まれているため、第２端末の送信用透かし情報生成部1045に入力する情報として、当該Ｗ12e（1042）及び第３端末についてのＩＤ情報たる送信先ＩＤ情報1043のみを用いて、第１端末、第２端末、及び第３端末についてのＩＤ情報を全て含む透かし情報Ｗ123（1047）を生成しても良い。
【００５４】
この第１端末、第２端末、及び第３端末についてのＩＤ情報を全て含む透かし情報Ｗ123（1047）は、透かし情報弱圧縮／非圧縮部1049によって、透かし情報の劣化が許容される限度に弱い圧縮が掛けられ、或いは、全く圧縮を施さずに、Ｗ123ｃとして透かし情報再送信部1050によって、第３端末に送信される。
【００５５】
以降、第３端末からの再送信も同様に行われる。このような構成によって、ネットワーク上に頒布された画像情報に重畳された透かし情報を、所定の端末において解析することによって、当該透かしには、当該端末に至るまでの、データ伝送経路情報が全て埋め込まれることとなり、ネットワーク上への頒布を行った原因者の特定が容易となる。
【００５６】
また、このような伝送経路情報の重畳が多くなると、必然的に、画像情報に重畳される透かし情報のデータ量画が多くなる結果、画面表示・データ格納された画像情報自体が劣化することになる。従って、所定ホップ以上のネットワーク上への頒布自体を抑制する効果がある。
【００５７】
また、上述のように、画像情報と透かし情報を別系統で送信し、受信側で必要に応じて、画像情報に透かし情報を重畳することによって、多段伝送の場合でも、圧縮・伸張処理に弱い透かし情報を守りつつ、画像情報には必要な圧縮をかけることが可能となる。
【００５８】
なお、本実施例において、場合によっては、異なる複数のデータ送信端末から、異なる複数のデータ受信端末に向かって、連続的に、異なったデータ及び透かし情報が送信される。このような場合に、別々に送信されるデータ及び透かし情報を、送信画側で関連付け（例えばデータ自体の識別情報であるＩＤを透かし情報にも組み込む等により）、受信側で当該関連付けを元に、正しい透かし情報が、正しいデータに重畳可能なように構成しても良い。
【実施例２】
【００５９】
図２によって説明する本実施例は、実施例１において第１端末で行われていた透かし生成を、受信側（第２端末）で、自動的に行うようにしたものである。
画像情報Ｐ1（2011）が圧縮部2013によって圧縮された後、送信部2014によって第２端末に送信され、第２端末において受信部2020によって受信され、伸張部2023によって伸張される点は、実施例１と同様である。
【００６０】
本実施例では、第１端末において、第２端末への圧縮画像情報送信に際して、自動的に当該端末のＩＤ情報Ｗ1（2019）（例えば、ＩＰアドレス）が、送信部2022、受信部2036を介して第２端末に送られる。
【００６１】
第１端末から受信された圧縮画像Ｐ1cが、第２端末で伸張されて、Ｐ1e（2027）として表示又は格納される場合に、第２端末では、このようにして第１端末から受信した第１端末ＩＤ情報Ｗ1（2037）、及び、第２端末のＩＤ情報Ｗ2（2041）（例えば、ＩＰアドレス）を元に、透かし生成部2045によって、第１端末のＩＤ情報及び第２端末のＩＤ情報の双方を含んだ透かし情報Ｗ12（2040）が生成され、透かし情報重畳部2025によって、伸張された画像情報Ｐ1e（2027）に重畳される。
【００６２】
次に、透かし情報Ｗ12（2040）が重畳された、伸張された画像情報Ｐ1e（2027）を、第３端末に送信する場合には、次のようなステップを践む。
【００６３】
透かし情報Ｗ12（2040）が重畳された画像情報Ｐ1e＋Ｗ12から、透かし情報分離部2030によって透かし情報Ｗ12（2040）が分離される。このようにして得られた画像情報Ｐ1e（2033）は、圧縮部2035によって圧縮され、送信部2036によって第３端末に送信される。
【００６４】
（なお、この圧縮部2035には、第２端末で生成された画像情報Ｐ2（2034）が入力できるようになっていることが好ましい。そのように構成することによって、第２端末で生成した画像を縮部2035によって圧縮し、他端末に送信可能である。この場合には、後述のＩＤ送信部2050には、第２端末ＩＤのＷ２（2041）のみが入力され、第１端末ＩＤのＷ1（2037）は入力されない。）
【００６５】
透かし情報Ｗ12（2040）が分離された伸張された画像情報Ｐ1e（2033）は、次に、圧縮部2035によって圧縮後、送信部2036によって第３端末に送信される。
また、前記第１端末ＩＤ情報Ｗ1（2037）及び第２端末ＩＤ情報（2041）が、ＩＤ情報送信部（2050）によって、第３端末に送信される。
これ以降の処理は、第２端末におけるそれと同様である。但し、第３端末以降の第Ｎ端末における他端末ＩＤ情報には、画像が生成された端末（本実施例では端末１）から、第Ｎ端末に至るまでの（第Ｎ−１端末までの）、伝送経路上の全ての端末のＩＤ情報が含まれる。
【００６６】
この実施例２のような構成により、各端末において、自己ＩＤや送信先ＩＤを入力しなくても、各端末で表示。格納される画像情報には、それまでの伝送経路上の全端末のＩＤ情報（例えばＩＰアドレス）が自動的に透かしとして重畳される。
【実施例３】
【００６７】
図３は、本発明の第３実施例を示す概略構成図である。
本実施例は、画像情報と透かし情報が一連のファイル化され、当該ファイルがスクランブル化されて、受信側で逆スクランブル後に、透かし情報が画像情報に重畳されることを特徴とする。
【００６８】
本図には、第１端末、第２端末の構成を示し、第３端末の構成は第２端末と同様なので省略してある。
第１端末においては、顔写真やグラフィック画像等の画像情報Ｐ１（3011）が画像情報圧縮部3013によって圧縮され、圧縮画像情報Ｐ1c（3113）が出力される。この圧縮部の採用する圧縮方法には、ＪＰＥＧ、ＪＰＥＧ２０００等が含まれがこれに限定されない。
【００６９】
一方、第１端末に存在する透かし生成部3019には、第１端末のＩＤ情報（会社名、端末利用者名、日時等）の自己ＩＤ情報3015、及び、送信相手先会社名、送信相手先端末のＩＰアドレス等の送信先ＩＤ情報3017、の双方が入力され、当該透かし生成部3019は、入力された自己ＩＤ情報3015及び送信先ＩＤ情報3017の双方が重畳された、透かし情報Ｗ12（3019）を出力する。
【００７０】
当該透かし情報Ｗ12（3019）は、透かし情報弱圧縮／非圧縮部3021に与えられ、透かし情報の劣化が許容される限度に弱い圧縮が掛けられ、或いは、全く圧縮を施さずに、Ｗ12ｃ（3115）として出力される。
前記画像情報圧縮部3013の出力である圧縮画像情報Ｐ1c（3113）、及び、前記透かし情報弱圧縮／非圧縮部3021の出力Ｗ12cは、結合部3111によって、一連のファイル3117にされる。当該一連のファイル3117は、スクランブル化部3113によって、全体がスクランブル化された後、送信部3014によって第２端末に送信される。
【００７１】
本実施例においては、このように、圧縮画像情報と透かし情報を一連のファイル化するが、当該一連のファイル内では、圧縮画像情報と透かし情報は別個の存在であり、画像情報に透かし情報が重畳されている訳ではない。これは、実施例１と同様に、両者を別個に送信し、受信側で必要に応じて、画像情報に透かし情報を重畳することによって、圧縮・伸張処理に弱い透かし情報を守りつつ、画像情報には必要な圧縮をかけることが可能とするためである。
【００７２】
次に、第２端末においては、第１端末から送信された圧縮された、スクランブルされた一連のファイル3117が、受信部3020によって受信される。そして、一連のファイル3211は、「スクランブル解除＋伸張＋透かし重畳部」3023によって、（ｉ）スクランブル解除され、（ii）圧縮画像情報Ｐ1c及び弱圧縮透かし情報が伸張され、又は、（透かし情報が圧縮されていない場合）圧縮画像情報Ｐ1cのみが伸張され、（iii）伸張された画像情報に透かし情報が重畳される。
【００７３】
本実施例では、スクランブル解除＋伸張＋透かし重畳、を連続的に行っているが、スクランブル解除＋伸張だけを先に実行し、第２端末において画面表示、或いは、記憶媒体への格納処理が行われる際に、透かし重畳を行う等のバリエーションも採用可能である。
このようにして、第２端末では、表示画面或いは記憶媒体中には、Ｐ１ｅ（3214）＋Ｗ12ｅ（3215）の形で、表示／格納される。これによって、第２端末の使用者は、第１端末から送られてきた画像情報には透かし情報が重畳されていることを知り、不用意にネットワーク上に頒布することを躊躇するという効果が得られる。或いは、透かしの重畳度を弱めておけば、第２端末の使用者が、透かし情報の存在に気づかずに、画像情報をネットワーク上に頒布すれば、頒布された画像情報を分析することによって、当該頒布された画像の出所が、第２端末であることが、透かし情報Ｗ12により把握可能である。
【００７４】
次に、このようにして、第１端末から受信された画像情報を、第２端末から、第３端末に再送信する際には、次のようなステップを践む。
表示／格納されている、透かし情報（3215）が重畳されている伸張画像情報Ｐ1e（3214）が、透かし分離部3030に加えられ、透かし情報（3215）が分離された伸張画像情報Ｐ1e（3033）が出力される。この透かし情報（3215）が分離された伸張画像情報Ｐ1e（3033）は、圧縮部3035に加えられ、圧縮画像情報Ｐ1c（3217）が出力される。
（なお、この圧縮部3035には、第２端末で生成された画像情報Ｐ2（3034）が入力できるようになっていても良い。このとき、圧縮部3035の出力には当該画像情報Ｐ2が圧縮されたデータが出力される。このような場合には、後述の透かし生成部3045には、自己ＩＤ3041及び送信先ＩＤ3043のみが入力され、過去ＩＤ3042は入力されない。）
【００７５】
第２端末の送信用透かし情報生成部3045に、第２端末についてのＩＤ情報たる自己ＩＤ情報3041、第３端末についてのＩＤ情報たる送信先ＩＤ情報3043、及び、既に第１端末から送られてきている、第１端末についてのＩＤ情報が含まれている透かし情報Ｗ12e（3213）が入力され、第１端末、第２端末、及び第３端末についてのＩＤ情報を全て含む透かし情報Ｗ123（3047）が生成される。
【００７６】
なお、Ｗ12e（3213）には、第１、第２端末双方のＩＤ情報が含まれているため、第２端末の送信用透かし情報生成部3045に入力する情報として、当該Ｗ12e（3213）及び第３端末についてのＩＤ情報たる送信先ＩＤ情報3043のみを用いて、第１端末、第２端末、及び第３端末についてのＩＤ情報を全て含む透かし情報Ｗ123（3047）を生成しても良い。
【００７７】
この第１端末、第２端末、及び第３端末についてのＩＤ情報を全て含む透かし情報Ｗ123（3047）は、透かし情報弱圧縮／非圧縮部3049によって、透かし情報の劣化が許容される限度に弱い圧縮が掛けられ、或いは、全く圧縮を施さずに、Ｗ123ｃ（3219）として出力される。
【００７８】
当該圧縮画像情報Ｐ1c（3217）と、前記透かし情報弱圧縮／非圧縮部3049の出力である、Ｗ123ｃ（3219）は、結合部3221によって、一連のファイル3223にされる。
当該一連のファイル3223は、スクランブル化部3225によって、全体がスクランブル化された後、送信部3036によって第３端末に送信される。
以後、第３端末以降においても、以上と同様の処理が為される。その結果、各端末で表示、或いは、格納される画像情報には、画像のソースとなった端末から、当該端末までの、全ての端末のＩＤ情報が、透かし情報として重畳されることになる。
【００７９】
このような構成によって、ネットワーク上に頒布された画像情報に重畳された透かし情報を、所定の端末において解析することによって、当該透かしには、当該端末に至るまでの、データ伝送経路情報が全て埋め込まれることとなり、ネットワーク上への頒布を行った原因者の特定が容易となる。
【００８０】
また、このような伝送経路情報の重畳が多くなると、必然的に、画像情報に重畳される透かし情報のデータ量画が多くなる結果、画面表示・データ格納された画像情報自体が劣化することになる。従って、所定ホップ以上のネットワーク上への頒布自体を抑制する効果がある。
【００８１】
また、上述のように、画像情報に透かし情報を重畳して送信せず、別個に送信し、受信側で両者を必要に応じて重畳することによって、多段伝送の場合でも、圧縮・伸張処理に弱い透かし情報を守りつつ、画像情報には必要な圧縮をかけることが可能となる。
【００８２】
なお、上記いずれの実施例においても、第１端末からグループ送信（１対多送信）を行うことも勿論可能である。その場合、第１端末（Ａ端末：ＩＤ情報がａ）からＢ、Ｃ、Ｄ端末の３端末にグループ送信するときは、それぞれの送信先（Ｂ、Ｃ、Ｄ）のＩＤ情報等（b、c、d）が送信先にリンクして、例えば第１端末で自動的に埋め込まれることになる。この場合、埋め込まれる情報は、Ｂ端末向けデータには「ａ＋ｂ」、Ｃ端末向けデータには「ａ＋ｃ」、Ｄ端末向けデータには「ａ＋ｄ」となる。
上述の本発明の各実施例は、例として説明したものであって、本発明はこれに限定されるものではない。そして、特許請求の範囲に記載される本発明の思想を逸脱することなく、種々の代替、変形、及び変更が可能である。例えば、上記各実施例においては、画像情報の送信を例にとったが、画像情報の替わりに、音声情報や圧縮可能なテキスト情報を用いても同様の効果が得られる。また、画像情報には、静止画情報及び動画情報の双方が含まれる。
【産業上の利用可能性】
【００８３】
本発明は、例えば、インターネットに接続されたパーソナル・コンピュータ群の間で、画像データを連鎖的に伝送するシステムに適用可能である。
【図面の簡単な説明】
【００８４】
【図１】本発明の第１の実施例の概略構成図。
【図２】本発明の第２の実施例の概略構成図。
【図３】本発明の第３の実施例の概略構成図。
【符号の説明】
【００８５】
101  第１端末
102  第２端末
103  第３端末
1011  画像情報Ｐ１
1013  圧縮部
1014  送信部
1015  第１端末のＩＤ情報
1017  伝送先ＩＤ情報
1019  透かし生成部
1020  圧縮画像受信部
1021  弱圧縮／非圧縮部
1022  透かし情報送信部
1025  透かし情報重畳部
1027  伸張画像Ｐ１ｅ
1030  透かし情報分離部
1033  画像情報Ｐ1e
1034  第２端末で生成された画像情報Ｐ2
1035  圧縮部
1036  透かし情報受信部
1037  第１端末から送信された透かし情報Ｗ12ｃ
1039  透かし情報伸張部
1040  透かし情報Ｗ１2ｅ
1041  自己ＩＤ
1042  過去ＩＤ
1043  送信先ＩＤ
1045  、透かし生成部
1047  第１端末、第２端末、及び第３端末についてのＩＤ情報を全て含む透かし情報Ｗ123
1049  透かし情報弱圧縮／非圧縮部
1050  透かし情報再送信部
201  第１端末
202  第２端末
2011  画像情報Ｐ1
2013  圧縮部
2014  送信部
2019  端末のＩＤ情報Ｗ1
2020  受信部
2022  送信部
2023  伸張部
2025  透かし情報重畳部
2027  伸張された画像情報Ｐ1e
2030  透かし情報分離部
2033  画像情報Ｐ1e
2034  第２端末で生成された画像情報Ｐ2
2035  圧縮部
2036  受信部
2037  第１端末から受信した第１端末ＩＤ情報Ｗ1
2040  第１端末のＩＤ情報及び第２端末のＩＤ情報の双方を含んだ透かし情報Ｗ12
2041  第２端末のＩＤ情報Ｗ2
2045  透かし生成部
2050  ＩＤ送信部
301  第１端末
302  第２端末
303  第３端末
3011  顔写真やグラフィック画像等の画像情報Ｐ１
3013  画像情報圧縮部
3014  送信部
3015  自己ＩＤ情報
3017  送信相手先端末のＩＰアドレス等の送信先ＩＤ情報
3019  透かし生成部
3020  受信部
3021  透かし情報弱圧縮／非圧縮部
3023  「スクランブル解除＋伸張＋透かし重畳部」
3030  透かし分離部
3033  透かし情報（3215）が分離された伸張画像情報Ｐ1e
3034  第２端末で生成された画像情報Ｐ2
3035  圧縮部
3036  送信部
3041  自己ＩＤ
3042  過去ＩＤ
3043  送信先ＩＤ
3045  透かし生成部
3047  第１端末、第２端末、及び第３端末についてのＩＤ情報を全て含む透かし情報Ｗ123
3049  透かし情報弱圧縮／非圧縮手
3111  結合部
3113  圧縮画像情報Ｐ1c
3115  透かし情報弱圧縮／非圧縮部3021により、透かし情報の劣化が許容される限度に弱い圧縮が掛けられ、或いは、全く圧縮を施されない透かし情報Ｗ12ｃ
3117  一連のファイル
3211  一連のファイル
3213  第１端末についてのＩＤ情報が含まれている透かし情報Ｗ12e
3214  Ｐ１ｅ
3215  Ｗ12ｅ
3217  圧縮画像情報Ｐ1c
3219  透かし情報弱圧縮／非圧縮部3049によって、透かし情報の劣化が許容される限度に弱い圧縮が掛けられ、或いは、全く圧縮を施さない、第１端末、第２端末、及び第３端末についてのＩＤ情報を全て含む透かし情報Ｗ123ｃ
3221  結合部
3223  一連のファイル
3225  スクランブル化部
【図１】
0004748452.tif 000003
【図２】
0004748452.tif 000004
【図３】
0004748452.tif 000005